(57)【要約】【課題】消費電力を抑制しつつ塵埃を適切に取り除くことのできる空気清浄換気装置を提供する。【解決手段】空気清浄換気装置１０は、屋外に連通する吸引口１１と、第１塵埃分離手段１と、第１ダクト３と、第２塵埃分離手段２と、第２ダクト４と、第３ダクト５とを備えている。第１塵埃分離手段１は、吸引口１１を介して吸引した空気から第１塵埃を取り除く。第１ダクト３は、第１塵埃分離手段１の下流と居住空間５０とを連通させる。第２塵埃分離手段２は、第１塵埃より小さな第２塵埃を取り除く効率が第１塵埃分離手段よりも高い。第２ダクト４は、第１塵埃分離手段の下流から分離して第２塵埃分離手段２に連通する。第３ダクト５は、第２塵埃分離手段２と居住空間５０とを連通させる。吸引手段２０は、吸引口１１から空気を吸引するとともに、第１ダクト３と第２ダクト４それぞれへ流れる空気の割合を調整可能である。【選択図】図１
2015218971.tif 000002
【特許請求の範囲】
【請求項１】
屋外に連通する吸引口と、
前記吸引口を介して吸引した空気から第１塵埃を取り除く第１塵埃分離手段と、
前記第１塵埃分離手段の下流と屋内空間とを連通させる、第１ダクトと、
前記第１塵埃より小さな第２塵埃を取り除く効率が前記第１塵埃分離手段よりも高い第２塵埃分離手段と、
前記第１塵埃分離手段の下流から分離して前記第２塵埃分離手段に連通する、第２ダクトと、
前記第２塵埃分離手段と前記屋内空間とを連通させる、第３ダクトと、
前記吸引口から空気を吸引するとともに、前記第１ダクトと前記第２ダクトそれぞれへ流れる空気の割合を調整可能な吸引手段と、
前記吸引口から吸引された空気に含まれる粉塵量と当該空気に含まれる粉塵の平均サイズのうち少なくとも一方を検知するセンサと、
前記センサの出力に基づいて前記吸引手段を制御する制御装置と、
を備える空気清浄換気装置。
【請求項２】
前記吸引手段は、前記第１塵埃分離手段の下流に設けられた第１ファンと、前記第１ダクトと前記第２ダクトとの分離位置より下流に設けられた第２ファンと、を含む請求項１に記載の空気清浄換気装置。
【請求項３】
前記第１、２塵埃分離手段が、回転する気流を用いるサイクロン方式の分離手段であり、
前記第１塵埃分離手段のサイクロン部の径よりも前記第２塵埃分離手段のサイクロン部の径が小さい請求項１または２に記載の空気清浄換気装置。
【請求項４】
前記第１塵埃分離手段の下流に粉塵を帯電させる放電手段をさらに備える請求項１〜３のいずれか１項に記載の空気清浄換気装置。
【請求項５】
前記センサを、前記吸引口と前記第１塵埃分離手段との間に設け、
前記制御装置は、前記センサの出力に基づいて、前記センサで検知した前記粉塵量が予め定めた量以下である場合および前記センサで検知した前記平均サイズが予め定めたサイズ以上である場合の少なくとも一方の場合に、前記第１ダクトを通過する風量が前記第２ダクトを通過する風量よりも大きくなるように前記吸引手段を動作させる請求項１〜４のいずれか１項に記載の空気清浄換気装置。
【請求項６】
前記センサを前記屋内空間に設け、
前記制御装置は、前記センサで検知した前記粉塵量が予め定めた量以下である場合および前記センサで検知した前記平均サイズが予め定めたサイズ以上である場合の少なくとも一方の場合に、屋外からの取り込み空気量を低減するとともに、前記第２ダクトを通過する風量に対する前記第１ダクトを通過する風量の比率が増加するように、前記吸引手段を動作させる請求項１〜５のいずれか１項に記載の空気清浄換気装置。
【請求項７】
電気製品の消費電力を計測し前記電気製品に電力抑制指示を与えるエネルギーマネジメントシステムと通信可能とされた請求項１から６のいずれか１項に記載の空気清浄換気装置であって、
前記吸引手段は、前記吸引口から空気を吸引し当該吸引した空気を前記屋内空間へと流すためのファンを含み、
前記制御装置は、前記電力抑制指示を受けたときに前記ファンの回転数を通常運転のときの回転数よりも低くし、前記屋内空間の粉塵濃度変化に応じて前記ファンの回転数を変化させて粉塵濃度を維持する請求項１〜６のいずれか１項に記載の空気清浄換気装置。
【発明の詳細な説明】
【技術分野】
【０００１】
本発明は、空気清浄換気装置に関する。
【背景技術】
【０００２】
居住空間の快適性を維持するために、屋外の空気を屋内に導入する換気装置が使用されている。換気の際に、空気とともに汚染物質が屋内に侵入することは抑制されることが望ましい。この点に関し、下記の特許文献１の例えば段落０００７に記載されているように、多段サイクロン式空気清浄装置に屋外空気を通過させることによって、清浄な空気を導入する方法が考案されている。
【０００３】
また、下記の特許文献２の例えば段落００１８に記載されているように、汚染物質を検知するセンサを設け、このセンサからの汚染物質の種類に応じて風路を切り替えるダンパーを設け、各々の風路に設けられた汚染物質の種類に対応するフィルタの劣化を抑制する方法が考案されている。
【先行技術文献】
【特許文献】
【０００４】
【特許文献１】特開２００４−１８８３７４号公報
【特許文献２】特開２００４−２６３９８５号公報
【特許文献３】特開平１１−２４８２０９号公報
【発明の概要】
【発明が解決しようとする課題】
【０００５】
しかしながら、特許文献１に記載の形態では、換気をする場合には必ず多段サイクロン式空気清浄装置を通過させるために、大きな圧力損失にみあうファンが必要となり、ファン運転に必要な消費電力が多くなる課題がある。特許文献２に記載の形態では、汚染物質に応じたフィルタを通過させるために、汚染物質が少量であっても２種のフィルタ風路のファンを動作させる必要があり、消費電力抑制ができないという問題がある。
【０００６】
本発明は、上述のような課題を解決するためになされたもので、消費電力を抑制しつつ塵埃を適切に取り除くことのできる空気清浄換気装置を提供することを目的とする。
【課題を解決するための手段】
【０００７】
本発明にかかる空気清浄換気装置は、屋外に連通する吸引口と、前記吸引口を介して吸引した空気から第１塵埃を取り除く第１塵埃分離手段と、前記第１塵埃分離手段の下流と屋内空間とを連通させる、第１ダクトと、前記第１塵埃より小さな第２塵埃を取り除く効率が前記第１塵埃分離手段よりも高い第２塵埃分離手段と、前記第１塵埃分離手段の下流から分離して前記第２塵埃分離手段に連通する、第２ダクトと、前記第２塵埃分離手段と前記屋内空間とを連通させる、第３ダクトと、前記吸引口から空気を吸引するとともに、前記第１ダクトと前記第２ダクトそれぞれへ流れる空気の割合を調整可能な吸引手段と、前記吸引口から吸引された空気に含まれる粉塵量と当該空気に含まれる粉塵の平均サイズのうち少なくとも一方を検知するセンサと、前記センサの出力に基づいて前記吸引手段を制御する制御装置と、を備える。
【発明の効果】
【０００８】
本発明によれば、粉塵除去性能が互いに異なる２種の塵埃分離手段を第２ダクトを介して分離して設置し、センサの情報に基づいて、第１、２塵埃分離手段の一方または両方を選択的に通過させるようにしたので、消費電力を抑制しつつ塵埃を適切に取り除くことができる。
【図面の簡単な説明】
【０００９】
【図１】本発明の実施の形態１にかかる空気清浄換気装置の構成を示す図である。
【図２】本発明の実施の形態２にかかる空気清浄換気装置の構成を示す図である。
【図３】本発明の実施の形態４にかかる空気清浄換気装置の構成を示す図である。
【発明を実施するための形態】
【００１０】
以下に述べる実施の形態にかかる空気清浄換気装置は、屋内空間の換気を行う換気システムに関するものである。以下の実施の形態にかかる空気清浄換気装置によれば、屋外から屋内空間へと外気をファンを用いて取り入れる際に、外気の粉塵などの汚染物質を除去する空気清浄機能を有するとともに、ファンおよび屋内の冷暖房された空気が排気されることによる消費電力を、抑制することができる。以下、本発明を実施するための形態について添付の図面に従って説明する。各図中、同一又は相当する部分には同一の符号を付しており、その重複説明は適宜に簡略化ないし省略する。
【００１１】
実施の形態１．
図１は、本発明の実施の形態１にかかる空気清浄換気装置１０の構成を示す図である。実施の形態１では、居住空間５０を有する家屋に対して空気清浄換気装置１０を設置した場合について説明する。図１に示すように、空気清浄換気装置１０は、屋外に連通する吸引口１１と、第１塵埃分離手段１と、第１ダクト３と、第２塵埃分離手段２と、第２ダクト４と、第３ダクト５とを備えている。第１塵埃分離手段１は、吸引口１１を介して吸引した空気から塵埃を取り除く。第１ダクト３は、第１塵埃分離手段１の下流と居住空間５０とを連通させる。第２塵埃分離手段２は、第１塵埃分離手段１よりも微細な粉塵を除去する効率が高くなるように設計されている。つまり、第１塵埃分離手段１が取り除く塵埃を「第１塵埃」としたとき、第２塵埃分離手段２は、「この第１塵埃より小さなサイズの第２塵埃」を取り除く効率が第１塵埃分離手段よりも高くなるように設計されている。結果として、第２塵埃分離手段２は第１塵埃分離手段１よりも圧力損失が高い。なお、第１、２塵埃分離手段１，２の具体的な構成としてはフィルタ式、電気集塵式、またはサイクロン式など何れの粉塵除去方式を採用してもよく、粉塵除去方式は第１、２塵埃分離手段１，２の間で互いに同じであってもよく、異なっていてもよい。第２ダクト４は、第１塵埃分離手段１の下流から分離して第２塵埃分離手段２に連通する。第３ダクト５は、第２塵埃分離手段２と居住空間５０とを連通させる。
【００１２】
空気清浄換気装置１０は、吸引手段２０を備えている。吸引手段２０は、吸引口１１から空気を吸引するとともに、第１ダクト３と第２ダクト４それぞれへ流れる空気の割合を調整可能である。より具体的には、実施の形態１にかかる吸引手段２０は、ファン７とダンパー６を含んでいる。ファン７は、図１では第１塵埃分離手段１とダンパー６の間に設置されており、吸引口１１から空気を吸引し、当該吸引した空気を居住空間５０へと流すことができる。ダンパー６は、第１塵埃分離手段１の下流に設けられ、第１ダクト３と第２ダクト４それぞれへ流れる風量を変更可能である。
【００１３】
実施の形態１においては、屋外空気はファン７が形成する負圧によって吸引され、第１塵埃分離手段１によって、粗塵が除去される。ファン７から送出された空気は、ダンパー６によって分岐される。第１ダクト３を通過した空気は、そのまま居住空間５０へと供給される。第２ダクト４を通過した空気は、第２塵埃分離手段２によって、より微細な粉塵が除去され、第３ダクト５を通過して、屋内の居住空間５０へと供給される。図示していないが、供給された空気量に応じて、屋内空気が屋外へと排気され、居住空間５０の空気量と圧力はほぼ維持される。
【００１４】
空気清浄換気装置１０は、センサ８と制御装置３０をさらに備えている。センサ８は、吸引口から吸引された空気に含まれる粉塵量と当該空気に含まれる粉塵の平均サイズのうち少なくとも一方を検知する。本実施形態では、好ましい形態として、「粉塵量」および「粉塵の平均サイズ」の両方を検知可能なセンサ８を用いるものとする。実施の形態１では、センサ８を、吸引口１１と第１塵埃分離手段１との間に設けている。
【００１５】
制御装置３０は、第１塵埃分離手段１の上流、すなわち屋外空気自体の粉塵量およびサイズを検知するセンサ８の出力に基づいて、吸引手段（具体的にはファン７およびダンパー６）を制御する。より具体的には、制御装置３０は、センサ８の出力に基づいて、センサ８で検知した粉塵量が予め定めた量以下である場合およびセンサ８で検知した平均サイズが予め定めたサイズ以上である場合の少なくとも一方の場合に、第１ダクト３を通過する風量が第２ダクト４を通過する風量よりも大きくなるように吸引手段２０（すなわちダンパー６およびファン７）を動作させる。このような構成とすることによって、屋外空気は、第１塵埃分離手段１のみを通過して、または、第１塵埃分離手段１と第２塵埃分離手段２の両方を通過して、屋内に供給される。
【００１６】
センサ８の検知結果により、屋外空気に含まれる微細な塵埃が「予め設定した量」よりも少ない場合には、第２塵埃分離手段２を通過させる必要がないことから、第１ダクト３を通過する風量が多くなるようにダンパー６を動作させる。圧力損失が少ない第１ダクト３側の風路のみを通過させることで、第１、２塵埃分離手段１，２の両方を通過させるよりもファン７の負荷が低下する。すなわち、より少ない消費電力で換気動作をおこなうことができる。さらに、ファン７の回転数を抑制できるので、騒音を抑制することもできる。また、屋外粉塵量が少ない場合には、同一の換気供給量を屋内に導入した場合に屋内に侵入する粉塵量が少なくなるので、塵埃除去の効率が低くともよい。そこで、上記と同様に、第１ダクト３を通過する風量が多くなるようにダンパー６を動作させればよい。同様に、センサ８の検知結果により、屋外空気に含まれる粉塵の平均サイズが「予め設定したサイズ」よりも大きい場合にも、第２塵埃分離手段２を通過させる必要がないことから、屋外空気の粉塵量が少ない場合と同様に第１ダクト３へと流れる風量を増加させる。
【００１７】
なお、上記ではセンサ８が粉塵量と粉塵の平均サイズの両方を検知し、これら両方の値に基づいて吸引手段２０の制御を行ったが、本発明はこれに限られない。粉塵量と粉塵の平均サイズのいずれか一方に基づいて吸引手段２０の制御を行ってもよい。また、上述した制御装置３０の制御動作に利用される予め定めた量および予め定めたサイズについては、実験あるいは設計段階で予め定めておき、制御装置３０のメモリに予め記憶しておけばよい。
【００１８】
なお、ユーザーが屋内の塵埃濃度レベルを設定するための入力手段を設けてもよい。入力手段は、典型的には、壁スイッチあるいはリモートコントローラなどの一つの機能として設けられてもよい。この入力手段を介してユーザーが制御装置３０の許容濃度レベルの値を変更することができる。なお、許容濃度レベルの値は、塵埃濃度という単位で設定されてもよく、上記の粉塵量あるいは粉塵平均サイズという単位で設定されてもよい。制御装置３０は、この許容濃度レベルの値をセンサ８の検出値と比較することで、上記と同様に、第１ダクト３と第２ダクト４それぞれへ流れる風量を調整するように吸引手段２０を制御する。ユーザーがより高い塵埃濃度レベルを許容するように設定した場合には、その設定した許容濃度レベル以下であるときは上記と同様に第１ダクト３を通過する風量が第２ダクト４を通過する風量よりも多くなるようにダンパー６を動作させればよく、設定した許容濃度レベルを超えたときに第２ダクト４を通過する風量を増加させればよい。
【００１９】
以上説明したように、実施の形態１にかかる空気清浄換気装置１０は、粉塵除去性能（具体的には、除去しうる粉塵量とサイズ）が互いに異なる２種の塵埃分離手段を第２ダクト４を介して分離して設置し、負荷となる粉塵量および粉塵の平均サイズを検知するセンサ８の出力に基づいて、第１、２塵埃分離手段１，２の一方または両方を選択的に通過させることができる。これにより、居住空間５０の快適性を維持するために一定量の屋外空気を取り込む際に、粉塵量および粉塵サイズに応じて、第１、２塵埃分離手段１，２の両方または一方を切り替えて通過させることができる。このようにすることで、微細な粉塵を除去するために必要な、より大消費電力かつ騒音も大きいファン７を無駄に運転することがなく、より省エネな換気を実現できる。
【００２０】
また、屋内の清浄度が高く、換気量を少なくしてもよい場合に、屋外の清浄度に応じて第１塵埃分離手段１のみを通過させることで、屋内清浄度を犠牲にすることなく、冷暖房の負荷を抑制することができる。このように、除去する粉塵量および粉塵の平均サイズに応じて第１、２塵埃分離手段１，２のうち必要十分な塵埃分離手段のみを使用することによって、ファン７が内蔵するモーターの消費電力を抑制するとともに、屋外空気導入に応じて屋内から流出する空気による熱負荷を抑制し、効率良い空気清浄換気と省エネとを両立できる。
【００２１】
実施の形態２．
図２は、本発明の実施の形態２にかかる空気清浄換気装置１１０の構成を示す図である。実施の形態２にかかる吸引手段１２０は、ダンパー６と、第１塵埃分離手段１の下流に設けられた第１ファン７１と、第１ダクト３と第２ダクト４との分離位置より下流に設けられた第２ファン７２と、を含んでいる。すなわち、図１と比較すると、ダンパー６の下流に２個のファン（つまり第１ファン７１および第２ファン７２）を設けている点が実施の形態１と異なっている。第１ファン７１は第１ダクト３に設けられており、図２に示す例では壁に埋め込まれている。第２ファン７２は第３ダクト５に設けられており、図２に示す例では第２塵埃分離手段２とともに天井裏に設置されている。これらの第１、２ファン７１，７２はいずれも制御装置３０と接続しており、互いに独立にオンオフを制御したり、それぞれ独立に回転速度を制御したりすることができる。
【００２２】
このような構成とすることによって、第１塵埃分離手段１のみを通過させる際には、第１ファン７１のみを運転し、第２ダクト４につながる風路をダンパー６によって完全に遮断することができる。したがって、第１ファン７１は、圧力損失が比較的小さい第１塵埃分離手段１と第１ダクト３のみを通風させるだけの能力を有するように設計できるので、実施の形態１で用いるファン７よりも小型、省エネ、かつ低騒音なファン構造を用いることができる。また、第２ファン７２は、通過させる経路としては実施の形態１と同様であるが、たとえば第１、２ファン７１，７２の何れか一方が故障したときも故障していない他方が換気機能を維持することで、故障時に換気機能が完全に失われることを回避でき、ユーザーの快適性が損なわれることを抑制できる。
【００２３】
ダンパー６の操作によって屋外と屋内の連通を抑制し、第２ファン７２を動作させて、第１ファン７１を停止してもよい。このような制御によって、第１ダクト３から屋内空気を吸引し、ダンパー６と第２ダクト４とを通過し、第２塵埃分離手段２を通過して屋内に循環するという経路で通風し、屋内空気の清浄化をおこなうことができる。この時、ダンパー６の動作角度を調整することで屋内空気循環と屋外からの吸いこみとの比率を変えることができ、居住空間５０の快適性を維持するのに必要な換気量に調整することができる。また、この際に、第１ファン７１が逆回転して、通常の換気動作と逆流する流れを形成してもよい。屋外空気の供給を抑制することができれば屋内空気の排気が少なくなり、屋内の冷暖房に要する空調の消費電力を抑制することができる。
【００２４】
なお、特許文献３の例えば段落００１９に記載されているように、屋外空気と屋内空気をともにフィルタを通過させる風路と、どちらか一方のみをフィルタを通過させる風路とを切り替えるダンパーを設けて、１つのファンで目的の動作をおこなう方法が考案されている。しかしながら、この特許文献３に記載される換気装置では、２つのフィルタおよび１つのファンが一体化されることによって、装置全体が大きくなり、また、この装置全体が屋内空間に設置されることから、屋内の騒音対策が必要である。この点、上記の実施の形態２によれば、第１、２塵埃分離手段１、２および第１、２ファン７１、７２を互いに分離しているので、各装置は小型なもので済み、かつ騒音対策も簡便なもので済むという利点がある。
【００２５】
実施の形態３．
実施の形態３にかかる空気清浄換気装置では、第１、２塵埃分離手段１、２がいずれも回転する気流を用いるサイクロン方式の塵埃分離機構であり、第１塵埃分離手段１のサイクロン部の径よりも第２塵埃分離手段２のサイクロン部の径が小さいという特徴を有している。すなわち、上述した実施の形態１、２において、第１、２塵埃分離手段１，２としては、フィルタ式、電気集塵式、またはサイクロン式など何れの粉塵除去方式を採用してもよい。しかしながら、これらの方式のうちサイクロン式は、除去分離した塵埃が風路外へと除去蓄積されるので、粉塵除去量が増加しても圧力損失が上昇しないという利点があり、より好ましい粉塵除去方式である。すなわち、同一風量を確保する際のファン負荷が増えないので消費電力を抑制でき、また、通過風量の低下にともなう換気量低下が起きにくいというメリットがある。サイクロン式では、より微細な粉塵を除去するためにサイクロン径を小さくすることが一般的な設計手法として知られている。通過風が高速であり、粉塵により高い遠心力を与える必要があるためである。この点に関し、上述したように実施の形態３では第１塵埃分離手段１のサイクロン部の径よりも第２塵埃分離手段２のサイクロン部の径が小さい。また、微細粉塵は、体積としても小さいために、単位あたりの通過風量で蓄積される粉塵量が少ない。このような点から、第２塵埃分離手段２をサイクロン方式とすることによって小型化が可能となり、屋内に近い位置あるいは天井裏などに設置しやすいという利点がある。
【００２６】
実施の形態４．
図３は、本発明の実施の形態４にかかる空気清浄換気装置２１０の構成を示す図である。空気清浄換気装置２１０は、第１塵埃分離手段１の下流に粉塵を帯電させる放電手段９をさらに備える点を除いては、実施の形態１にかかる空気清浄換気装置１０と同じ構成を備えている。ファン７とダンパー６との間に、放電手段９が設けられている。この放電手段９は、塵埃を帯電させる機能と、塵埃のなかでも微生物を不活化する機能と、花粉のタンパク質を変性させることによっていわゆるアレルゲン性を低下させる機能とをすべて有することが好ましい。ただし、本発明はこれに限られず、これらの機能のうち少なくとも１つを備えればよい。
【００２７】
第１塵埃分離手段１の下流側では粗大な塵埃が除去されているので、放電手段９が粉塵に汚染される可能性が低い。また、放電手段９よりも下流において、第１塵埃分離手段１では除去しきれなかった微生物類がより下流側のダンパー６およびダクトに活性な状態を維持したまま付着するのを抑制することができる。第２塵埃分離手段２に、帯電した微粒子を効率よく捕集できる、接地電極あるいは高電界形成機構を設けてもよい。なお、この実施の形態４は図２に示した実施の形態２に組み合わせてもよく、実施の形態２にかかる空気清浄換気装置１０に対して、放電手段９を設けたり、第２塵埃分離手段２に接地電極あるいは高電界形成機構を設けたりしてもよい。
【００２８】
実施の形態５．
実施の形態５においては、図１に示す空気清浄換気装置１０または図２に示す空気清浄換気装置１１０においてセンサ８を居住空間５０に設け、このセンサ８の検知結果に基づいて吸引手段２０、１２０を制御する。制御装置３０は、センサ８で検知した粉塵量が予め定めた量以下である場合およびセンサ８で検知した平均サイズが予め定めたサイズ以上である場合の少なくとも一方の場合に、屋外からの取り込み空気量を低減するとともに、第２ダクト４を通過する風量に対する第１ダクト３を通過する風量の比率が増加するように、吸引手段２０、１２０を動作させる。
【００２９】
前述した図１および図２においては、センサ８を第１塵埃分離手段１の上流側に設けて屋外空気中の汚染状態を検知していたが、センサ８を屋内に設けて屋内の汚染状態を検知してもよい。実施の形態５はこのようなコンセプトに基づいており、たとえば、屋内空気に粉塵が少ないまたはサイズが小さい場合には、屋内での発塵が少なく、換気によるフレッシュな空気を供給する必要性が低いと判断できる。そこで、実施の形態５では、換気量を抑制するとともに微細な粉塵の除去性能を維持するために、第１ダクト３の通風量よりも第２ダクト４の通風量の比率が多くなるように図１の吸引手段２０（つまりダンパー６およびファン７）または図２の吸引手段１２０（つまりダンパー６および第１、２ファン７１、７２）を制御する。なお、実施の形態５を上述した実施の形態４と組み合わせてもよい。
【００３０】
実施の形態６．
実施の形態６にかかる空気清浄換気装置は、上述した実施の形態１〜５のいずれかの装置構成を有するとともに、さらにＨＥＭＳ（Ｈｏｍｅ  Ｅｎｅｒｇｙ  Ｍａｎａｇｅｍｅｎｔ  Ｓｙｓｔｅｍ）との間で通信可能とされている。ＨＥＭＳは、家屋の家電製品の消費電力を計測し家電製品に電力抑制指示を与えるシステムであり、電化製品の消費電力をトータルで抑制するためのシステムとして近年広く用いられている。ＨＥＭＳでは、複数の機器の消費電力を検知するとともに、より消費電力が少なくなるような運転動作を、各機器に指示する制御がおこなわれている。このようなＨＥＭＳにおいて電力消費源であるファン回転数を低下させる運転が指示される場合がある。単純にファン７（あるいは第１、２ファン７１、７２）の回転数を低下させると、換気量が減って、屋内空気質の低下を招くことになる。
【００３１】
そこで、屋内側に設けたセンサ８に基づいて、屋内の粉塵濃度をより低く維持するように、ファン７（あるいは第１、２ファン７１、７２）の回転数およびダンパー６の作動状態を制御することが望ましい。具体的には、実施の形態６においては、制御装置３０は、電力抑制指示を受けたときにファン７（あるいは第１、２ファン７１、７２）の回転数を通常運転のときの回転数よりも低くする。さらに、制御装置３０は、居住空間５０内の粉塵濃度変化に応じてファン７の回転数を変化させて粉塵濃度を維持する。居住空間５０内の粉塵濃度変化は、例えば居住空間５０にセンサ８或いは他の粉塵濃度センサを設けるなどして計測すればよい。なお、家屋以外の例えばビルディングに対して本発明にかかる空気清浄換気装置を設けた場合には、そのビルディングに設けられたＢＥＭＳ（Ｂｕｉｌｄｉｎｇ  Ｅｎｅｒｇｙ  Ｍａｎａｇｅｍｅｎｔ  Ｓｙｓｔｅｍ）に対して実施の形態６にかかる空気清浄換気装置を組み合わせてもよい。
【符号の説明】
【００３２】
１  第１塵埃分離手段、２  第２塵埃分離手段、３  第１ダクト、４  第２ダクト、５  第３ダクト、６  ダンパー、７  ファン、８  センサ、９  放電手段、１０、１１０、２１０  空気清浄換気装置、１１  吸引口、２０、１２０  吸引手段、３０  制御装置、５０  居住空間、７１  第１ファン、７２  第２ファン
【図１】
2015218971.tif 000003
【図２】
2015218971.tif 000004
【図３】
2015218971.tif 000005